(57)【要約】【課題】ドレンパンに溜まったドレン水等の状況を点検する内部点検の作業性がより一層向上した天井埋込型室内機ユニット構造を提供すること。【解決手段】吸込口及び吹出口を設けたケーシング１１の内部に室内熱交換器及び室内ファンを備え、室内熱交換器の凝縮水をドレンパン１８に受けてケーシング１１の側面部に設けたドレンノズル１５を介して外部へ排水する天井埋込型室内機ユニット構造において、ドレンノズル１５が設置されたケーシング１１の側面部を、内部点検用窓として透明部材１７で構成された可視化構造とする共に、内部点検用窓はドレンノズル１５と一体化されている。【選択図】図１
2007327687.tif 000002
【特許請求の範囲】
【請求項１】
吸込口及び吹出口を設けたケーシングの内部に室内熱交換器及び室内ファンを備え、前記室内熱交換器の凝縮水をドレンパンに受けて前記ケーシングの側面部に設けたドレンノズルを介して外部へ排水する天井埋込型室内ユニット構造において、
前記ドレンノズルが設置された前記ケーシングの側面部を、内部点検用窓として透明部材で構成された可視化構造にすると共に、前記内部点検用窓は前記ドレンノズルと一体化されていることを特徴とする天井埋込型室内機ユニット構造。
【請求項２】
前記ドレンノズル及び前記透明部材が透明樹脂により一体成形されていることを特徴とする請求項１に記載の天井埋込型室内機ユニット構造。
【請求項３】
吸込口及び吹出口を設けたケーシングの内部に室内熱交換器及び室内ファンを備え、前記室内熱交換器の凝縮水をドレンパンに受けて前記ケーシング側面部に設けたドレンノズルを介して外部へ排水し、前記ケーシングの側面部に前記ケーシングの内部点検用の点検口を有する天井埋込型室内ユニット構造において、
前記点検口は内部点検用窓として透明部材で構成された可視化構造であることを特徴とする天井型埋込型室内機ユニット構造。
【発明の詳細な説明】
【技術分野】
【０００１】
本発明は、室内の天井等に埋め込むようにして設置される天井埋込型室内機ユニット構造に関する。
【背景技術】
【０００２】
従来より、空調対象となる部屋等の天井空間に埋め込むようにして設置される天井埋込型室内機ユニット（以下、「室内機ユニット」と呼ぶ）が知られている。この室内機ユニットは、室内機ユニットから冷媒の供給を受ける室内熱交換器と、室内空気を導入して室内熱交換器を通し、冷媒と室内空気との熱交換により冷却または加熱した空調空気を室内へ向けて吹き出す室内ファンとを備えている。
この場合、室内ファンの運転による空調空気の流れは、室内機ユニットに設けた吸込口から吸い込まれた室内空気が室内熱交換器を通過することで冷媒と熱交換して空調空気となり、この空調空気が吹出口から室内へ向けて吹き出すこととなる。このような室内機ユニットにおいては、冷房運転時に凝縮器として機能する室内熱交換器の下部にドレンパンを設け、室内空気中の水分が温度低下により凝縮して生成された凝縮水を受けて排水するようになっている。
【０００３】
図４に示す従来構造の室内機ユニット１０′では、略直方体形状としたケーシング１１の一側面に吹出口１２が開口するとともに、吹出口１２を設けた側面の対向面には吸入口（不図示）が設けられている。また、上述した吹出口１２及び吸入口が設けられていない他の側面には、冷媒配管を接続する一対の冷媒配管接続口１３，１４と、ドレン排水用のドレンノズル１５と、たとえばドレンパンに溜まったドレン水の状況等の内部点検を実施する際に使用する点検口開閉蓋１６とが設けられている。なお、点検口開閉蓋１６は、点検作業時に取り外すことにより点検口が開くので、たとえば図３に示すように、天井２０に設けた開閉可能な天井点検口２１を利用し、天井空間２２に入り込んだ作業員がケーシング１１の内部を視認して点検できるようになっている。
【０００４】
また、従来の天井埋込型の空気調和装置（室内機ユニット）においては、ドレンパンの溝部に溜まったドレン水の水位を確認する際の視認性を向上させるため、ドレンパンに設けたドレン水受け溝の外側側壁に、少なくとも一部を透明または半透明にした透視部を設けることが提案されている。（たとえば、特許文献１参照）
【特許文献１】特開２００５−１４０４５２号公報
【発明の開示】
【発明が解決しようとする課題】
【０００５】
ところで、上述した図４の従来構造の場合、ドレン水等の内部点検を実施する作業は、たとえば天井点検口２１から狭い天井空間２２に入り込んだ作業員が点検口開閉蓋１６を開閉して実施するものであるから、作業姿勢や使用工具に制約を受けるなど作業性の面で不都合があった。
しかも、上述した点検作業は、ビル管理法の改正等により点検回数が義務付けられるために今後頻度が増加することになるので、点検作業の作業性をより一層向上させた天井埋込型室内機ユニット構造の開発が望まれる。
本発明は、上記の事情に鑑みてなされたものであり、その目的とするところは、ドレンパン内部の汚れ状況を点検する内部点検の作業性がより一層向上した天井埋込型室内機ユニット構造を提供することにある。
【課題を解決するための手段】
【０００６】
本発明は、上記の課題を解決するため、下記の手段を採用した。
本発明に係る天井埋込型室内機ユニット構造は、吸込口及び吹出口を設けたケーシングの内部に室内熱交換器及び室内ファンを備え、前記室内熱交換器の凝縮水をドレンパンに受けて前記ケーシングの側面部に設けたドレンノズルを介して外部へ排水する天井埋込型室内ユニット構造において、前記ドレンノズルが設置された前記ケーシングの側面部を、内部点検用窓として透明部材で構成された可視化構造にすると共に、前記内部点検用窓は前記ドレンノズルと一体化されていることを特徴とするものである。
このような天井埋込型室内機ユニット構造によれば、ドレンノズルが設置されたケーシングの側面部を、内部点検用窓として透明部材で構成された可視化構造にすると共に、内部点検用窓はドレンノズルと一体化されているので、点検作業者は内部点検用窓の点検領域からドレンパン内部の汚れ状況等ケーシング内部の点検を実施可能となる。
【０００７】
この場合、前記ドレンノズル及び前記透明部材が透明樹脂により一体成形されていることが好ましく、これにより、部品点数や組立作業工数の低減が可能となる。
【０００８】
また、本発明に係る天井埋込型室内機ユニット構造は、吸込口及び吹出口を設けたケーシングの内部に室内熱交換器及び室内ファンを備え、前記室内熱交換器の凝縮水をドレンパンに受けて前記ケーシング側面部に設けたドレンノズルを介して外部へ排水し、前記ケーシングの側面部に前記ケーシングの内部点検用の点検口を有する天井埋込型室内ユニット構造において、前記点検口が内部点検用窓として透明部材で構成された可視化構造であることを特徴とするものである。
このような天井埋込型室内機ユニット構造によれば、点検口が内部点検用窓として透明部材で構成された可視化構造であるから、たとえば既設製品のように広範囲に透明部材を設置できない場合にも、点検口開閉蓋を透明部材に置き換えて内部点検用窓を設けることができる。また、新規の製品においても、点検口開閉蓋を取り付ける従来の点検口に相当する部分のみ、点検用開閉蓋を透明部材に置き換えた内部点検用窓を容易に設けることができる。
【発明の効果】
【０００９】
上述した本発明によれば、ケーシングの側面部に内部点検用窓として透明部材を取り付ける可視化構造としたので、狭い空間で点検口開閉蓋を開閉する作業が不要となり、透明樹脂等の透明部材に設けた点検領域からケーシング内部の点検作業を容易に実施することができる。このため、たとえばドレンパン内部の汚れ状況等、ケーシング内部を点検する作業の作業性が大きく向上するという顕著な効果が得られる。また、従来の点検口開閉蓋を透明部材に置き換えた可視化構造とすれば、既存製品及び新規製品の両方に容易に内部点検窓を設けることができる。
また、上述した透明部材は、ケーシングの側面に取り付けられ、従来の点検口開閉蓋を不要とする構造であるため、従来と同様の点検作業方法で点検領域から内部を確認できるため、天井点検口を開けるのみで新たに点検作業方法を変える必要がなく、点検作業時間の大幅な短縮を図ることが可能となり、従来と同一の作業時間で、室内機ユニット点検台数を増やすことができる。
さらに、上述した透明部材は、点検領域に加えてドレンノズルを一体成形した透明樹脂製とすることにより、部品点数や組立作業工数を低減できるという効果も得られる。
【発明を実施するための最良の形態】
【００１０】
以下、本発明に係る天井埋込型室内機ユニット構造の一実施形態を図面に基づいて説明する。
図３は、天井埋込型室内機ユニット（以下、「室内機ユニット」と呼ぶ）１０の設置例を示す図である。この設置例では、空調対象となる部屋が天井２０を形成する板状部材により仕切られた天井空間２２に、室内機ユニット１０が埋め込むようにして設置されている。この室内ユニット１０は、天井２０に開口する吹出グリル２３及び吸込グリル２４とダクト２５を介して連結されている。なお、図中の符号２６は、吸込側及び吹出側のダクト２５に取り付けた消音チャンバ、２７は室内機ユニット１０とダクト２５との間に配設した振動吸収用のフレキダクトである。
【００１１】
室内機ユニット１０は、図１及び図２に示すように、略直方体形状としたケーシング１１の一側面に、フレキダクト２７、消音チャンバ２６及びダクト２５を介して吹出グリル２３と連通する４箇所の吹出口１２が開口している。また、吹出口１２が開口するケーシング１１の対向面には、フレキダクト２７、消音チャンバ２６及びダクト２５を介して吸込グリル２４と連通する吸込口（不図示）が開口している。
【００１２】
ケーシング１１の内部には、図示省略の室内熱交換器や室内ファン等の機器類が収納設置されている。
室内ファンは、吸込グリル２４から室内機ユニット１０の吸込口まで室内空気を吸い込むとともに、室内熱交換器を通過して熱交換した空調空気を吹出口１２から吹出グリル２３まで送風し室内に吹き出させる機能を有している。
室内熱交換器は、図示省略の室外機ユニットと冷媒配管を介して接続されており、室外機ユニット側から供給された冷媒と、室内ファンの動作により吸込グリル２４から吸い込んだ室内空気との間で熱交換させることにより、室内空気を冷却または加熱して空調空気とする。すなわち、室外機ユニットから室内熱交換器に液冷媒が供給された場合は、室内熱交換器を通過する室内空気から吸熱する冷房・除湿運転となり、ガス冷媒が供給された場合は、室内空気を加熱する暖房運転となる。
【００１３】
上述した吹出口１２及び吸入口が設けられていない他の側面の一方には、室外機ユニットとの間で冷媒を循環させる冷媒配管を接続するため、一対の冷媒配管接続口１３，１４が設けられている。ここでは、径の大きい冷媒配管接続口１３がガス冷媒用となり、径の小さい冷媒配管接続口１４が液冷媒用となる。
また、たとえば冷媒配管接続口１３，１４に隣接するケーシング１１の側面適所には、ドレン排水用のドレンノズル１５が設けられている。このドレンノズル１５は、ケーシング１１の側面適所に取り付けて開口部を塞ぐ透明部材１７に一体化して設けられている。一般にドレンノズル１５には、ノズル内部の排水状況が目視できるように透明部材が使用され、ドレン配管施工後の排水性確認が容易に行えるように配慮されている。
【００１４】
透明部材１７は、たとえば透明樹脂製の板状部材とされ、ケーシング１１の内部を透視可能な点検領域１７ａを備えている。この点検領域１７ａは、室内熱交換器の下方に配設されて凝縮水を集めるドレンパン１８の内部汚れ状況を、点検作業者が外部から容易に見通せる位置に設けられている。図示の例では、ドレンポンプ１９を運転して効率のよい排水を可能とするため、たとえば図１に矢印３０で示すように、ドレンパン１８に形成された低部の集水凹部１８ａの内部汚れ状況についても点検可能とされる。すなわち、集水凹部１８ａを、点検作業者が目視により外部から容易に見通せるよう配慮した位置に透明部材１７の点検領域１７ａを配設してある。
このような透明部材１７は、透明樹脂等の板状部材にドレンノズル１５を接着等により後付けして一体化してもよいが、ドレンノズル１５及び透明部材１７を透明樹脂により一体成形してもよい。このような一体化構造の透明部材１７を採用すれば、部品点数や組立作業工数の低減が可能となる
【００１５】
このように、吸込口１２及び吹出口を設けたケーシング１１の内部に室内熱交換器及び室内ファンを備え、室内熱交換器の凝縮水をドレンパン１８に受けてケーシング１１に設けたドレンノズル１５を介して外部へ排水する室内機ユニット１０において、ケーシング１１の側面適所に設けた開口部を塞ぐようにして、ケーシング内部を透視可能な点検領域１７ａを備えドレンノズル１５を一体化した透明部材１７を取り付ける構成としたので、点検作業者は、天井２０の天井点検口２１から天井空間２２に入り込み、内部を可視可能な点検領域１７ａからドレンパン１８に凝縮水が溜まったドレン水の状況等、ケーシング１１内部の点検を容易に実施することができる。
【００１６】
すなわち、従来構造における点検口開閉蓋１６の着脱作業が不要になるので、作業姿勢や使用工具等の制約を受ける狭い天井空間２２内での作業は、単にドレン水位ＷＬの目視確認のみとなる。従って、特にドレン水位ＷＬの点検作業性が著しく向上し、その点検回数が増加してもその負担は軽微なものとなる。このような構成は、ドレンポンプ１９を用いてドレン水を排水する構造の室内機ユニット１０に好適である。
【００１７】
また、ケーシング１１の側面部において、上述した透明部材１７を設置可能な面積を容易に確保できない場合には、図４に示した従来の点検口開閉蓋１６を透明部材１７に置き換えることにより、点検口を透明部材で構成された内部点検用窓とした可視化構造としてもよい。
このような構成とすれば、たとえば天井埋込型室内機ユニット１０が既設製品であり、広範囲にわたる透明部材を容易に設置できない場合にも、点検口開閉蓋１６を透明部材１７に置き換えて内部点検用窓を設けることができる。さらに、天井埋込型室内機ユニット１０が新規の製品である場合においても、点検口開閉蓋１６が取り付けられる従来の点検口に相当する部分にのみ、点検用開閉蓋１６を透明部材１７に置き換えた内部点検用窓を容易に設けることができる。
なお、本発明は上述した実施形態に限定されるものではなく、本発明の要旨を逸脱しない範囲内において適宜変更することができる。
【図面の簡単な説明】
【００１８】
【図１】本発明に係る天井埋込型室内機ユニット構造の一実施形態を示す要部の断面図（図２のＡ−Ａ断面）である。
【図２】本発明に係る天井埋込型室内機ユニット構造の一実施形態を示す外観斜視図である。
【図３】図２に示した天井埋込型室内機ユニット構造の設置例を示す図である。
【図４】従来の天井埋込型室内機ユニット構造を示す外観斜視図である。
【符号の説明】
【００１９】
１０    天井埋込型室内機ユニット（室内機ユニット）
１１    ケーシング
１２    吹出口
１５    ドレンノズル
１７    透明部材
１７ａ    点検領域
１８    ドレンパン
１８ａ    集水凹部
１９    ドレンポンプ
【図１】
2007327687.tif 000003
【図２】
2007327687.tif 000004
【図３】
2007327687.tif 000005
【図４】
2007327687.tif 000006